【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
ケーブル試験システムであって、
ケーブリング試験を実行する少なくとも１つの試験デバイスによって実行される試験ルーチンを定義するケーブリング試験構成に準じてケーブリング試験を実行する、少なくとも１つの試験デバイスと、
インターネットを介して、前記少なくとも１つの試験デバイスに通信している、クラウドベースのサーバデバイスであって、
第１のケーブリング試験構成を記憶するデータベースと、
前記少なくとも１つの試験デバイスが、前記ケーブリング試験のための前記試験ルーチンを実行する前記少なくとも１つの試験デバイスを構成する前記第１のケーブリング試験構成を使用するために、前記データベースから前記少なくとも１つの試験デバイスに前記第１のケーブリング試験構成を送信し、
前記少なくとも１つの試験デバイスによって実行されている前記試験ルーチンに準じて試験信号を生成する前記少なくとも１つの試験デバイスに応じて、前記少なくとも１つの試験デバイスからケーブリング試験結果を受信し、
前記少なくとも１つの試験デバイスに送信された前記第１のケーブリング試験構成及び前記ケーブリング試験を実行する前記少なくとも１つの試験デバイスによって使用された第２のケーブリング試験構成間に相違があるかどうかを判別することで、前記受信したケーブリング試験結果が非対応結果であると判別し、
リモートユーザに、前記受信したケーブリング試験結果へのアクセスを提供する
コンピュータ命令を実行するプロセッサと、を含む、サーバデバイスと、を備えた、ケーブル試験システム。
【請求項２】
前記少なくとも１つの試験デバイスによって実行されたケーブリング試験が、ケーブルのケーブリング証明、適格性確認及び検証のうちの少なくとも１つを実行することを含む、請求項１に記載のシステム。
【請求項３】
前記プロセッサが、前記受信したケーブリング試験結果を指定の作業プロジェクトに関連付けるコンピュータ命令を更に実行する、請求項１に記載のシステム。
【請求項４】
前記プロセッサが、前記受信したケーブリング試験結果を得るために使用された前記第２のケーブリング試験構成が、実装のために前記指定の作業プロジェクトと関連付けられていることを判別するコンピュータ命令を更に実行する、請求項３に記載のシステム。
【請求項５】
前記プロセッサが、前記受信したケーブリング試験結果を得るために使用された前記第２のケーブリング試験構成が、前記少なくとも１つの試験デバイスに送信された前記第１のケーブリング試験構成と同じケーブリング試験構成であることを判別するコンピュータ命令を更に実行する、請求項１に記載のシステム。
【請求項６】
前記プロセッサが、前記少なくとも１つの試験デバイスに送信された前記第１のケーブリング試験構成が前記少なくとも１つの試験デバイスで、前記受信したケーブリング試験結果を得るために使用された前記第２のケーブリング試験構成に変更されたかどうかを判別するコンピュータ命令を更に実行する、請求項１に記載のシステム。
【請求項７】
前記プロセッサが、前記受信したケーブリング試験結果が誤ったケーブリング試験構成、誤った試験制限、及び誤ったケーブルタイプパラメータのうちの少なくとも１つで得られたかどうかを判別するコンピュータ命令を更に実行する、請求項１に記載のシステム。
【請求項８】
前記プロセッサが、前記リモートユーザが前記データベースに１つ以上のケーブリング試験構成を追加することを可能にするコンピュータ命令を更に実行する、請求項１に記載のシステム。
【請求項９】
命令を記憶するメモリと、
ケーブリング試験を実行するケーブル試験デバイスによって実行される試験ルーチンを定義する１つ以上のケーブリング試験構成を記憶するデータベースと、
前記メモリ及びデータベースと通信するように配設されたプロセッサと、を備えるクラウドベースのコンピュータサーバであって、
前記命令の実行時の前記プロセッサが、前記１つ以上のケーブリング試験構成の第１のケーブリング試験構成を、インターネットを介して、前記データベースから前記ケーブル試験デバイスに送信し、前記ケーブル試験デバイスが、前記第１のケーブリング試験構成を使用するようにして、前記ケーブル試験デバイスがケーブリング試験のための前記試験ルーチンを実行することを可能にし、
前記ケーブル試験デバイスによって実行されている前記試験ルーチンに準じて試験信号を生成する前記ケーブル試験デバイスに応じて、前記ケーブル試験デバイスからケーブリング試験結果を受信し、
前記ケーブル試験デバイスに送信された前記第１のケーブリング試験構成及び前記ケーブリング試験を実行する前記ケーブル試験デバイスによって使用された第２のケーブリング試験構成間の比較に基づいて、前記ケーブリング試験結果が前記第１のケーブリング試験構成に対応しているかどうか判別し、
リモートユーザに、前記ケーブリング試験結果へのアクセスを提供するアクションを実行する、クラウドベースのコンピュータサーバ。
【請求項１０】
前記ケーブリング試験が、ケーブルのケーブリング証明、適格性確認及び検証のうちの少なくとも１つを実行することを含む、請求項９に記載のクラウドベースのコンピュータサーバ。
【請求項１１】
前記命令の実行時の前記プロセッサが、前記ケーブリング試験結果を指定の作業プロジェクトに関連付けるアクションを更に実行する、請求項１０に記載のクラウドベースのコンピュータサーバ。
【請求項１２】
前記命令の実行時の前記プロセッサが、前記受信した試験結果を得るために使用された前記第２のケーブリング試験構成が、実装のために前記指定の作業プロジェクトと関連付けられていることを判別するアクションを更に実行する、請求項１１に記載のクラウドベースのコンピュータサーバ。
【請求項１３】
前記命令の実行時の前記プロセッサが、前記受信したケーブリング試験結果を得るために使用された前記第２のケーブリング試験構成が、前記少なくとも１つの試験デバイスに送信された前記第１のケーブリング試験構成と同じ試験構成であることを判別するアクションを更に実行する、請求項１０に記載のクラウドベースのコンピュータサーバ。
【手続補正２】
【補正対象書類名】明細書
【補正対象項目名】発明の名称
【補正方法】変更
【補正の内容】
【発明の名称】ケーブリング試験結果をケーブリング試験構成と照合するためのシステム及びクラウドベースのコンピュータサーバ
【手続補正３】
【補正対象書類名】明細書
【補正対象項目名】０００５
【補正方法】変更
【補正の内容】
【０００５】
これら及び他の利点を達成するために、例示の実施形態の目的に従って、一態様では、ケーブリング診断を実行するケーブル試験システム及びクラウドベースのコンピュータサーバが記載される。
ケーブル試験システムであって、ケーブリング試験を実行する少なくとも１つの試験デバイスによって実行される試験ルーチンを定義するケーブリング試験構成に準じてケーブリング試験を実行する、少なくとも１つの試験デバイスと、インターネットを介して、少なくとも１つの試験デバイスに通信している、クラウドベースのサーバデバイスであって、第１のケーブリング試験構成を記憶するデータベースと、少なくとも１つの試験デバイスが、ケーブリング試験のための試験ルーチンを実行する少なくとも１つの試験デバイスを構成する第１のケーブリング試験構成を使用するために、データベースから少なくとも１つの試験デバイスに第１のケーブリング試験構成を送信し、少なくとも１つの試験デバイスによって実行されている試験ルーチンに準じて試験信号を生成する少なくとも１つの試験デバイスに応じて、少なくとも１つの試験デバイスからケーブリング試験結果を受信し、少なくとも１つの試験デバイスに送信された第１のケーブリング試験構成及びケーブリング試験を実行する少なくとも１つの試験デバイスによって使用された第２のケーブリング試験構成間に相違があるかどうかを判別することで、受信したケーブリング試験結果が非対応結果であると判別し、リモートユーザに、受信したケーブリング試験結果へのアクセスを提供するコンピュータ命令を実行するプロセッサと、を含む、サーバデバイスと、を備える。
命令を記憶するメモリと、ケーブリング試験を実行するケーブル試験デバイスによって実行される試験ルーチンを定義する１つ以上のケーブリング試験構成を記憶するデータベースと、メモリ及びデータベースと通信するように配設されたプロセッサと、を備えるクラウドベースのコンピュータサーバであって、命令の実行時の前記プロセッサが、１つ以上のケーブリング試験構成の第１のケーブリング試験構成を、インターネットを介して、データベースからケーブル試験デバイスに送信し、ケーブル試験デバイスが、第１のケーブリング試験構成を使用するようにして、ケーブル試験デバイスがケーブリング試験のための試験ルーチンを実行することを可能にし、ケーブル試験デバイスによって実行されている試験ルーチンに準じて試験信号を生成するケーブル試験デバイスに応じて、ケーブル試験デバイスからケーブリング試験結果を受信し、ケーブル試験デバイスに送信された第１のケーブリング試験構成及びケーブリング試験を実行するケーブル試験デバイスによって使用された第２のケーブリング試験構成間の比較に基づいて、ケーブリング試験結果が第１のケーブリング試験構成に対応しているかどうか判別し、リモートユーザに、ケーブリング試験結果へのアクセスを提供するアクションを実行する。